(57)【要約】  無線通信システムにおいてスイッチビームアンテナで動作しているＷＴＲＵ（無線送信／受信ユニット）によって、予備候補セルを識別するための測定が行われる。スイッチビームアンテナは、複数の指向性ビームおよび全方向性ビームを生成するスマートアンテナである。ＷＴＲＵは、セルの予備候補セルを定義するために、セルのアクティブセット内でないセルからの信号を測定する。セルの予備候補セル内のセルからの測定信号は、閾値と比較され、対応するセルは、閾値との比較に基づいてセルの予備候補セットからセルの候補セットへ移動される。測定報告はその後、ネットワークに送られる。
2007521782.tif 000002
【特許請求の範囲】
【請求項１】
複数のセルを含む無線通信システムにおいて、ＷＴＲＵを動作するための方法であって、前記ＷＴＲＵは、複数の指向性ビームおよび全方向性ビームを含むアンテナビームを生成するためのスイッチビームアンテナを含み、前記方法は、
セルのアクティブなセット内のセルとデータを交換するために、選択されたアンテナビームを使用することと、
前記選択されたアンテナビームを使用して、セルの前記アクティブなセット内でないセル群からの信号を受信することと、
前記選択されたアンテナビームに関する、セルの前記アクティブなセット内でない各セルからの前記受信信号を測定することと、
前記測定された信号を予備候補セット追加閾値と比較し、前記比較に基づいて、対応するセル群をセルの予備候補セットに追加することと、
セルの前記予備候補セット内の前記セル群を、該セル群の測定された信号のレベルに基づいてランク付けすることと、
前記全方向性ビームおよび前記選択されたアンテナビームを使用して、セルの前記予備候補セット内で上位にランク付けされたセルのＮ個（Ｎは１以上）のセルからの信号を受信することと、
前記全方向性ビームおよび前記選択されたアンテナビームに関する、前記Ｎ個のセルの各セルからの前記受信信号を測定することと、
前記測定された信号を候補セット追加閾値と比較し、前記候補セット追加閾値との前記比較に基づいて、対応するセルを、セルの前記予備候補セットからセルの前記候補セットに移動することと、
測定レポートを前記ネットワークに送信することと
を備えたことを特徴とする方法。
【請求項２】
前記全方向性ビームを使用して、セルの前記候補セット内の前記セル群からの信号を受信することと、
前記全方向性ビームに関する各セルからの前記受信信号を測定することと、
前記測定された信号をアクティブセット追加閾値と比較し、前記候補セット追加閾値との前記比較に基づいて、測定レポートを前記ネットワークに送信することと
をさらに備えたことを特徴とする請求項１に記載の方法。
【請求項３】
前記候補セット追加閾値は、前記予備候補セット追加閾値より高いことを特徴とする請求項１に記載の方法。
【請求項４】
前記予備候補セット追加閾値は、前記ＷＴＲＵによって設定されることを特徴とする請求項１に記載の方法。
【請求項５】
前記選択されたアンテナビームは、指向性ビームを備え、
前記選択された指向性ビームを使用して、セルの前記予備候補セットからの信号を受信することと、
前記選択された指向性ビームに関する各セルからの前記受信信号を測定することと、
前記測定された信号を予備候補セットドロップ閾値と比較することと、
前記予備候補セットドロップ閾値との前記比較に基づいて、対応するセル群をセルの前記予備候補セットからドロップすることと
に基づいて、セルの前記候補セット内のセルをドロップすることをさらに備えたことを特徴とする請求項１に記載の方法。
【請求項６】
前記選択されたアンテナビームは、指向性ビームを備え、
前記全方向性ビームおよび前記選択された指向性ビームを使用して、セルの前記候補セット内のセル群からの信号を受信することと、
前記全方向性ビームおよび前記選択された指向性ビームに関する、セルの前記候補セット内の各セルからの前記受信信号を測定することと、
前記全方向性ビームに関する各セルからの前記測定された信号を候補セットドロップ閾値と比較することと、
前記候補セットドロップ閾値との前記比較に基づいて、対応するセル群をセルの前記候補セットからドロップし、測定レポートを前記ネットワークに送信することと
に基づいて、セルの前記候補セット内のセル群をドロップすることをさらに備えたことを特徴とする請求項１に記載の方法。
【請求項７】
前記選択された指向性ビームに関する各ドロップされたセルからの前記測定信号の、前記予備候補追加閾値との比較に基づいて、セルの前記候補セットからドロップされた前記セル群をセルの前記予備候補セットに追加することをさらに備えたことを特徴とする請求項６に記載の方法。
【請求項８】
前記選択されたアンテナビームは、指向性ビームを備え、
前記全方向性ビームおよび前記選択された指向性ビームを使用して、セルの前記アクティブなセット内のセル群からの信号を受信することと、
前記全方向性ビームおよび前記選択された指向性ビームに関する、セルの前記アクティブなセット内の各セルからの前記受信信号を測定することと、
前記選択された指向性ビームに関する各セルからの前記測定された信号をアクティブセットドロップ閾値および前記候補セット追加閾値を比較することと、
前記アクティブセットドロップ閾値および前記候補セット追加閾値との前記比較に基づいて、セルの前記アクティブなセットからの対応するセル群に関する測定レポートを前記ネットワークに送信することと
をさらに備えたことを特徴とする請求項１に記載の方法。
【請求項９】
前記選択されたアンテナビームは、指向性ビームを備え、
前記全方向性ビームおよび前記選択された指向性ビームを使用して、セルの前記アクティブなセット内のセル群からの信号を受信することと、
前記全方向性ビームおよび前記選択された指向性ビームに関する、セルの前記アクティブなセット内の各セルからの前記受信信号を測定することと、
前記選択された指向性ビームに関する各セルからの前記測定された信号をアクティブセットドロップ閾値と比較し、前記全方向性ビームに関する各セルからの前記測定された信号を互いに比較することと、
前記アクティブセットドロップ閾値との比較に基づいて、および前記全方向性ビームに関する、最強の測定された信号より所定のレベルだけ低いレベルに対応する閾値との比較に基づいて、セルの前記アクティブなセット内の対応するセル群に関する測定レポートを前記ネットワークに送信することと
をさらに備えたことを特徴とする請求項１に記載の方法。
【請求項１０】
前記無線通信システムは、ＣＤＭＡシステムを備えたことを特徴とする請求項１に記載の方法。
【請求項１１】
測定される前記受信信号は、パイロット信号を備えたことを特徴とする請求項１に記載の方法。
【請求項１２】
前記測定することは、前記受信信号のＳＩＲ、信号対雑音比、および信号強度の少なくとも１つを測定することを備えたことを特徴とする請求項１に記載の方法。
【請求項１３】
前記選択されたアンテナビームに関するセルの前記アクティブなセット内のセルからの測定された信号が、閾値を下回って低下した場合、測定レポートを前記ネットワークに送信することをさらに備えたことを特徴とする請求項１に記載の方法。
【請求項１４】
前記選択されたアンテナビームは、指向性ビームを備え、
前記全方向性ビームおよび前記選択された指向性ビームを使用して、セルの前記アクティブなセット内のセル群からの信号を受信することと、
前記全方向性ビームおよび前記選択された指向性ビームに関する、セルの前記アクティブなセット内の各セルからの前記受信信号を測定することと、
前記選択された指向性ビームに関する各セルからの前記測定された信号をアクティブセットドロップ閾値と比較し、前記全方向性ビームに関する各セルからの前記測定された信号を互いに比較することと、
前記アクティブセットドロップ閾値との比較に基づいて、および、前記全方向性ビームに関する最強の測定された信号より所定のレベルだけ低いレベルに対応する閾値との比較に基づいて、セルの前記アクティブなセット内の対応するセル群の測定値を前記ネットワークに報告することと
に基づいて、セルの前記アクティブなセット内のセル群に関する前記測定レポートは、前記ネットワークに送信されることを特徴とする請求項１に記載の方法。
【請求項１５】
前記選択されたアンテナビームは、指向性ビームを備え、
前記全方向性ビームおよび前記選択された指向性ビームを使用して、セルの前記アクティブなセット内のセル群からの信号を受信することと、
前記全方向性ビームおよび前記選択された指向性ビームに関する、セルの前記アクティブなセット内の各セルからの前記受信信号を測定することと、
前記選択された指向性ビームに関する各セルからの前記測定された信号を前記予備候補セット追加閾値と比較することと、
前記予備候補セット追加閾値がアクティブセットドロップ閾値より低い場合、前記予備候補セット追加閾値との比較に基づいて、セルの前記アクティブなセット内の対応するセル群に関する測定レポートを前記ネットワークに送信することと
をさらに備えたことを特徴とする請求項１に記載の方法。
【請求項１６】
前記比較することは、前記測定レポートを送信する前に、閾値と比較することをさらに含み、前記閾値は、所定の数の測定値、および所定の数の測定値のうちの測定値の割合に関して真となる条件の少なくともいずれかに基づくことを特徴とする請求項１に記載の方法。
【請求項１７】
セルのアクティブなセットと、
セルの非アクティブなセットと、
ＷＴＲＵであって、
セルの前記アクティブなセット内の１つまたは複数のセルとデータを交換するために選択され、複数の指向性ビームおよび全方向性ビームを含むアンテナビームを生成するためのスイッチビームアンテナと、
前記選択されたアンテナビームを使用して、セルの前記アクティブなセット内でないセル群からの信号を受信するための、前記スイッチビームアンテナに接続されたトランシーバと、
前記選択されたアンテナビームに関する、セルの前記アクティブなセット内でない各セルからの前記受信信号を測定するための、前記トランシーバに接続された測定ユニットと、
前記測定された信号を予備候補セット追加閾値と比較し、前記比較に基づいて、対応するセル群をセルの前記予備候補セットに追加し、該セル群の測定された信号のレベルに基づいて、セルの前記予備候補セット内の前記セル群をランク付けするためのコントローラと、
を備えたＷＴＲＵと、
前記トランシーバはまた、前記全方向性ビームおよび前記選択されたアンテナビームを使用して、セルの前記予備候補セット内における上位にランク付けされたセルＮ個（Ｎは１以上）のセルからの信号を受信し、
前記測定ユニットはまた、前記全方向性ビームおよび前記選択されたアンテナビームに関する前記Ｎ個のセルの各セルからの前記受信信号を測定し、
前記コントローラはまた、前記測定された信号を候補セット追加閾値と比較し、前記候補セット追加閾値との前記比較に基づいて、対応するセル群を、セルの前記予備候補セットからセルの前記候補セットに移動し、測定レポートを前記ネットワークに送信すること、を特徴とする無線通信システム。
【請求項１８】
前記トランシーバは、前記全方向性ビームを使用して、セルの前記候補セット内の前記セル群からの信号を受信し、前記測定ユニットは、前記全方向性ビームに関する各セルからの前記受信信号を測定し、前記コントローラは、前記測定された信号をアクティブセット追加閾値と比較し、前記アクティブセット追加閾値との前記比較に基づいて、測定レポートを前記ネットワークに送信することを特徴とする請求項１７に記載の無線通信システム。
【請求項１９】
前記候補セット追加閾値は、前記予備候補セット追加閾値より高いことを特徴とする請求項１７に記載の無線通信システム。
【請求項２０】
前記予備候補セット追加閾値は、前記ＷＴＲＵによって設定されることを特徴とする請求項１７に記載の無線通信システム。
【請求項２１】
前記選択されたアンテナビームは、指向性ビームを備え、
前記トランシーバが、前記選択された指向性ビームを使用して、セルの前記予備候補セットからの信号を受信することと、
前記測定ユニットが、前記選択された指向性ビームに関する各セルからの前記受信信号を測定することと、
前記コントローラが、前記測定された信号を予備候補セットドロップ閾値と比較し、前記予備候補セットドロップ閾値との前記比較に基づいて、セルの前記予備候補セットから、対応するセル群をドロップすることと
に基づいて、セルは、セルの前記予備候補セットからドロップされることを特徴とする請求項１７に記載の無線通信システム。
【請求項２２】
前記選択されたアンテナビームは、指向性ビームを備え、
前記トランシーバが、前記全方向性ビームおよび前記選択された指向性ビームを使用して、セルの前記候補セット内のセル群からの信号を受信することと、
前記測定ユニットが、前記全方向性ビームおよび前記選択された指向性ビームに関する、セルの前記候補セット内の各セルからの前記受信信号を測定することと、
前記コントローラが、前記全方向性ビームに関する各セルからの前記測定された信号を候補セットドロップ閾値と比較し、前記候補セットドロップ閾値との前記比較に基づいて、セルの前記候補セットから対応するセル群をドロップすることと
に基づいて、セルは、セルの前記候補セットからドロップされること
を特徴とする請求項１７に記載の無線通信システム。
【請求項２３】
前記ＷＴＲＵは、前記コントローラによる、前記選択された指向性ビームに関する各ドロップされたセルからの前記測定された信号の、前記予備候補追加閾値との比較に基づいて、セルの前記候補セットからドロップされた前記セル群をセルの前記予備候補セットへ追加することを特徴とする請求項２２に記載の無線通信システム。
【請求項２４】
前記選択されたアンテナビームは、指向性ビームを備え、
前記トランシーバが、前記全方向性ビームおよび前記選択された指向性ビームを使用して、セルの前記アクティブなセット内のセル群からの信号を受信することと、
前記測定ユニットが、前記全方向性ビームおよび前記選択された指向性ビームに関する、セルの前記アクティブなセット内の各セルからの前記受信信号を測定することと、
前記コントローラが、前記選択された指向性ビームに関する各セルからの前記測定された信号を、アクティブセットドロップ閾値、および前記候補セット追加閾値と比較し、前記アクティブセットドロップ閾値および前記候補セット追加閾値との前記比較に基づいて、測定レポートを前記ネットワークに送信することと
に基づいて、セルの前記アクティブなセット内のセル群に関する前記測定レポートは、前記ネットワークに送信されることを特徴とする請求項１７に記載の無線通信システム。
【請求項２５】
前記選択されたアンテナビームは、指向性ビームを備え、
前記トランシーバが、前記全方向性ビームおよび前記選択された指向性ビームを使用して、セルの前記アクティブなセット内のセル群からの信号を受信することと、
前記測定ユニットが、前記全方向性ビームおよび前記選択された指向性ビームに関する、セルの前記アクティブなセット内の各セルからの前記受信信号を測定することと、
前記コントローラが、前記選択された指向性ビームに関する各セルからの前記測定された信号をアクティブセットドロップ閾値と比較し、前記全方向性ビームに関する各セルからの前記測定された信号を互いに比較し、前記アクティブセットドロップ閾値との比較に基づいて、および前記全方向性ビームに関する最強の測定された信号より所定のレベルだけ低いレベルに相当する閾値との比較に基づいて、セルの前記アクティブなセット内の対応するセル群の測定値を前記ネットワークに報告することと
に基づいて、セルの前記アクティブなセット内のセル群に関する前記測定レポートは、前記ネットワークに送信されることを特徴とする請求項１７に記載の無線通信システム。
【請求項２６】
前記選択されたアンテナビームは、指向性ビームを備え、
前記トランシーバが、前記全方向性ビームおよび前記選択された指向性ビームを使用して、セルの前記アクティブなセット内のセル群からの信号を受信することと、
前記測定ユニットが、前記全方向性ビームおよび前記選択された指向性ビームに関する、セルの前記アクティブなセット内の各セルからの前記受信信号を測定することと、
前記コントローラが、前記選択された指向性ビームに関する各セルからの前記測定された信号を前記予備候補セット追加閾値と比較し、前記予備候補セット追加閾値がアクティブセットドロップ閾値より低い場合、前記予備候補セット追加閾値との比較に基づいて、セルの前記アクティブなセット内の対応するセル群に関する測定レポートを前記ネットワークに送信すること
に基づいて、セルの前記アクティブなセット内のセル群に関する前記測定レポートは、前記ネットワークに送信されることを特徴とする請求項１７に記載の無線通信システム。
【請求項２７】
前記比較することは、前記測定レポートを送信する前に、閾値と比較することをさらに備え、前記閾値は、所定の数の測定値、および所定の数の測定値のうちの測定値の割合に関して成立する条件の少なくともいずれかに基づくことを特徴とする請求項１７に記載の無線通信システム。
【発明の詳細な説明】
【技術分野】
【０００１】
本発明は、無線通信の分野に関し、より詳細には、マルチセル無線通信システムにおいてスイッチドビームアンテナで動作するモバイルＷＴＲＵのハンドオフに関する。
【背景技術】
【０００２】
無線マルチセル通信システムにおいて、モバイルＷＴＲＵ（無線送信／受信ユニット：Ｗｉｒｅｌｅｓｓ  Ｔｒａｎｓｍｉｔ／Ｒｅｃｅｉｖｅ  Ｕｎｉｔ）は、通常、１つのセルから別のセルに移動する。ＷＴＲＵがセルの境界を渡ると、ハンドオフが開始する。ハンドオフは、アクティブセル内の通信を中断せずに別のセルに移す手続きである。ソフトハンドオフの間、同一のデータが、ＷＴＲＵと２つのセルの間で送受信される。
【０００３】
「アクティブセット」という専門用語は、ＷＴＲＵと通信している（すなわち、データを送受信している）セルのセットを指す。１つまたは複数のセルは、セルのアクティブセット内にある。
【０００４】
ソフトハンドオフをサポートするために、ＷＴＲＵは、アクティブセット内のセル群、および近隣のセル群から受信した信号に関する物理的測定を実行する。それらの測定値は、１つまたは複数のトリガイベントの発生に基づき、ネットワークに、またはネットワークコントローラに報告される。無線通信システムの要件に依存して、測定報告のための複数の閾値を設定してもよい。
【０００５】
例えば、ＣＤＭＡ２０００（Ｃｏｄｅ  Ｄｉｖｉｓｉｏｎ  Ｍｕｌｔｉｐｌｅ  Ａｃｃｅｓｓ  ２０００）システムにおいて、たとえば、ＷＴＲＵは、アクティブセット内のセル群、および近隣のセル群によって送信されたパイロット信号の強度を測定する。近隣のセルからのパイロット信号の強度が、所定のパイロット検出閾値Ｔ＿ＡＤＤを超えた場合、またはセルのアクティブセット内のセルからのパイロット信号を、０．５×Ｔ＿ＣＯＭＰ  ｄＢだけ超えた場合（ここで、Ｔ＿ＣＯＭＰは比較閾値である）、ＷＴＲＵは、その測定結果をネットワークに報告する。ＷＴＲＵによって報告されたその測定結果に基づき、ネットワークは、目標セル内で、そのＷＴＲＵにチャネルを割り当てるか否かを決定する。
【０００６】
ＣＤＭＡ２０００システムのような一部のシステムにおいて、隣接セル群の強度がネットワーク指定の閾値を超えたが、セルのアクティブセット内に入るのに十分に強力ではない近隣セル群は、セルの「候補セット」と呼ばれる。測定レポートは、セルが候補セットに追加される場合、およびセルがアクティブセットとみなされるのに十分強力である場合に、ネットワークに送られる。「候補セット」という専門用語は、以降、ネットワーク指定の閾値を満たした場合に、ＷＴＲＵが、測定値をネットワークに報告する近隣のセルのセット（すなわち、アクティブセット内に入っていないセル群）を指す。ＣＤＭＡ２０００候補セットは、この一例に過ぎない。
【０００７】
「選択されたビーム」という用語は、データ送受信のためにＷＴＲＵが使用するアンテナビームを指す。スイッチドビーム（ｓｗｉｔｃｈｅｄ  ｂｅａｍ）アンテナを使用するＷＴＲＵは、通常、選択されたビームを使用して、近隣のセル群に対して測定を実行する。測定報告に関するトリガイベントは、選択されたビームを使用して行われた測定に基づく。
【０００８】
測定報告に関する閾値（例えば、Ｔ＿ＡＤＤおよび／またはＴ＿ＣＯＭＰ）は普通、ＷＴＲＵが、スイッチビームアンテナの代わりに、全方向性アンテナを使用するという想定下で、確立される。スイッチビームアンテナ（すなわち、スマートアンテナ）は、無線通信システムにおいて信号強度を有利に増加するナロービーム（Ｎａｒｒｏｗ  Ｂｅａｍ）を生成する。しかし、ＷＴＲＵが、スイッチビームアンテナを使用して、サービス提供（ｓｅｒｖｉｎｇ）基地局と通信する場合、そのアンテナを特定の方向へ向け、したがって、近隣のセル群からの信号に対する物理的測定は、アンテナ方向によって影響されるかもしれない。
【０００９】
ＢＳ（基地局）１６０を含むサービス提供セルとの通信において、切り替えられる指向性ビーム１４０を利用するＷＴＲＵ  １２０を含む、従来の無線通信システム１００は、図１に示されている。指向性ビーム１４０のゲインは特定の方向に向けられているので、近隣のセル内の基地局１８０からの信号は、たとえ近隣のセルがサービス提供セル１６０より近い場合でさえ、適切に検出されないかもしれない。
【発明の開示】
【発明が解決しようとする課題】
【００１０】
近隣のセル群からの受信信号電力は、振幅が低すぎて、ネットワークへの測定レポートの送信をトリガしないかもしれない。このため、ソフトハンドオフが、トリガされない可能性があり、高い割合のハードハンドオフがもたらされ、通信断（Ｄｒｏｐｐｅｄ  Ｃａｌｌ）の数が増える可能性がある。
【課題を解決するための手段】
【００１１】
以上の背景に鑑みて、本発明の目的は、マルチセル無線通信システムにおいてスイッチビームアンテナを使用して動作している移動ＷＴＲＵ（無線送信／受信ユニット）のハンドオフにおいて使用される候補セル群をより迅速に識別することである。
【００１２】
本発明による上記、および他の目的、特徴、および利点は、予備候補セル群を識別するために、無線通信システムにおいて、スイッチビームアンテナで動作しているＷＴＲＵによる測定を実行するための方法によって提供される。スイッチビームアンテナは、複数の指向性ビームおよび全方向性ビームを生成するスマートアンテナである。ＷＴＲＵは、セルのアクティブなセット内でないセル群からの信号を測定して、セルの予備候補セットを定義する。セルの予備候補セット内のセル群からの測定された信号は、閾値と比較され、閾値とのその比較に基づいて、対応するセル群は、セルの予備候補セットからセルの候補セットに移動される。測定レポートが、その後、ネットワークに送信される。
【００１３】
より詳細には、この方法は、選択されたアンテナビームを、セルのアクティブなセット内のセルとデータを交換するために使用すること、選択されたアンテナビームを使用して、セルのアクティブなセット内でないセル群からの信号を受信すること、およびその選択されたアンテナビームに関する、セルのアクティブなセット内でない各セルからの受信信号を測定することを含む。
【００１４】
測定された信号は、予備候補セット追加閾値と比較され、この比較に基づいて、対応するセル群は、セルの予備候補セットに追加される。セルの予備候補セット内のセル群は、それらのセルの測定された信号のレベルに基づいてランク付けされてもよい。セルの予備候補セット内の上位にランク付けされたセルのＮ個からの信号が、全方向性ビームおよび選択されたアンテナビームを使用して受信され、Ｎは、１以上である。
【００１５】
Ｎ個のセルの各セルからの受信信号は、全方向性ビームおよび選択されたアンテナビームに関して測定される。測定された信号は、候補セット追加閾値と比較されて、候補セット追加閾値とのその比較に基づいて、対応するセル群は、セルの予備候補セットからドロップされ、セルの候補セットに追加される。測定レポートが、その後ネットワークに送信されてもよい。
【００１６】
方法は、全方向性ビームを使用して、セルの候補セット内のセル群からの信号を受信すること、および全方向性ビームに関する各セルからの受信信号を測定することをさらに含んでもよい。測定された信号は、アクティブセット追加閾値と比較されてもよく、候補セット追加閾値とのその比較に基づき、測定レポートをネットワークに送信する。
【００１７】
セルの予備候補セットを定義することによって、候補セル群は有利にも、選択されたビーム測定だけが実行された場合に通常行われるであろうよりも前に識別されるようになる。セルの予備候補セット内のセル群が識別されると、それらは、セルの候補セットにより迅速に移動されて、それらのセルが、セルのアクティブなセットに移動されると、ソフトハンドオフをサポートすることが可能である。本発明は、有利には、マルチセル無線通信システムにおいてスイッチビームアンテナで動作している移動ＷＴＲＵの接続を維持するのを助ける。
【００１８】
本発明の別の態様は、セルのアクティブなセット、セルのアクティブなセット内でないセル群、および上述の方法を実装するためのＷＴＲＵを含む無線通信システムを対象とする。ＷＴＲＵは、スイッチビームアンテナ、スイッチビームアンテナに接続されたトランシーバ、受信信号を測定するためにトランシーバに接続された測定ユニット、閾値を格納するための閾値ユニット、ならびに測定された信号を閾値と比較するため、および測定レポートをネットワークに送信するためのコントローラを含む。
【発明を実施するための最良の形態】
【００１９】
本発明は、本発明の好ましい実施形態が示されている添付の図面を参照して、以下により完全に説明される。しかし、本発明は、多くの異なる形式で具体化されてよく、本明細書に記載された実施形態に限定されるものと解釈すべきでない。むしろ、これらの実施形態は、本開示が徹底し、完全であり、当業者に本発明の範囲を十分に伝えるように提供されている。同じ番号は、全体にわたって同じ要素を指す。
【００２０】
図２および図３を最初に参照して、無線通信システム２００、およびその無線通信システムにおいて動作するためのＷＴＲＵ２２０について説明する。ＷＴＲＵ２２０は、複数の指向性ビーム２４０と全方向性ビーム２５０を含むアンテナビームを生成するためのスイッチドビームアンテナ２３０を含む。図示される指向性ビーム２４０は、ハンドオフの前または後で、サービス提供セル２６０と通信するためのスイッチドビームである。以下により詳細に説明するとおり、全方向性ビーム２５０および／または指向性ビーム２４０は、近隣のセル群２８０からの信号を測定することによってトリガイベントの検出を含む、ハンドオフに使用される。
【００２１】
基地局２６０、２８０は、当業者には直ちに理解されるとおり、無線環境におけるサイトコントローラ、アクセスポイント、あるいは、他の任意のタイプのインタフェースデバイスであってよい。無線通信システム２００は、当業者には直ちに理解されるとおり、例えば、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ（Ｃｏｄｅ  Ｄｉｖｉｓｉｏｎ  Ｍｕｌｔｉｐｌｅ  Ａｃｃｅｓｓ）２０００システム、および一般ＣＤＭＡに適用されるＴＤＤ（Ｔｉｍｅ  Ｄｉｖｉｓｉｏｎ  Ｄｕｐｌｅｘｉｎｇ）、ＦＤＤ（Ｆｒｅｑｕｅｎｃｙ  Ｄｉｖｉｓｉｏｎ  Ｍｕｌｔｉｐｌｅｘｉｎｇ）、およびＴＤ−ＳＣＤＭＡ（ｔｉｍｅ  ｄｉｖｉｓｉｏｎ  ｓｙｎｃｈｒｏｎｏｕｓ  ｃｏｄｅ  ｄｉｖｉｓｉｏｎ  ｍｕｌｔｉｐｌｅ  ａｃｃｅｓｓ）に適用可能であってよい。
【００２２】
ＷＴＲＵ２２０は、たとえば、ＵＥ（ユーザ機器：Ｕｓｅｒ  Ｅｑｕｉｐｍｅｎｔ）、移動局、移動加入者ユニット、およびポケットベルなどの、無線環境において動作可能なデバイスを含む。ＷＴＲＵ２２０は、図３に示されるとおり、スイッチドビームアンテナ２３０に接続されたビームスイッチングユニット３２０、ビームスイッチングユニットに接続されたトランシーバ３４０、およびトランシーバに接続された測定ユニット３６０を含む。測定ユニット３６０は、異なるセルから受信した信号を測定する。ＣＤＭＡシステムの場合、パイロット信号がそれらの測定のために使用されるのは好ましい。しかし、セルから送信される他の任意の信号を、この目的のために使用してもよい。
【００２３】
コントローラ３８０は、トランシーバ３４０、測定ユニット３６０、およびビームスイッチングユニット３２０に、これらの制御のために接続される。閾値ユニット３９０も、コントローラ３８０に接続される。閾値ユニット３９０は、測定ユニット３６０によって実行される測定との比較のために使用される閾値を格納するためのメモリを含んでもよい。以下により詳細に説明するとおり、閾値は、コントローラ３８０によって設定される予備候補および候補セルのためのパラメータを含む。
【００２４】
次に、スイッチドビームアンテナで動作しつつ、アンテナビーム測定を実行し、測定値をネットワークに報告するための方法の６つの異なる好ましい実施形態を説明する。この実施形態のすべてにおいて、測定のために使用されるビームに関わらず、選択されたビームは、セルのアクティブセット内の基地局と通信するために使用されつづける。
【００２５】
スイッチドビームアンテナ２３０で動作しつつ、アンテナビーム測定を実行し、測定値をネットワークに報告するための方法の第１の実施形態は、図４のフロー図に示される。開始（ブロック４００）から、ＷＴＲＵ２２０は、ブロック４０２において、セルのアクティブセット内の１つまたは複数のセルとデータを交換するために、選択されたアンテナビームを使用し、ブロック４０４において、全方向性ビーム２５０を使用して、セルのアクティブセット内のセル群から、およびセルの候補セット内のセル群からの信号を受信する。ブロック４０６において、全方向性ビーム２５０に関する受信信号が測定される。
【００２６】
ＷＴＲＵ２２０は、ブロック４０８において、全方向性ビーム２５０において測定された信号を比較する。セルの候補セット内のセルに関する測定された信号が、セルのアクティブセット内のセルに関する測定された信号と比較された際、報告閾値基準を超えるとき、測定レポートは、ブロック４１０において、ネットワークに送信される。方法は、ブロック４１２で終了する。この処理は、実行されるべき次の測定セットに関して、ブロック４００から繰り返される。
【００２７】
第２の実施形態は、図５のフロー図に示されている。開始（ブロック５００）から、ＷＴＲＵ２２０は、選択されたアンテナビームを、ブロック５０２で、セルのアクティブセット内のセルとデータを交換するために使用する。
【００２８】
ブロック５０４において、選択された指向性ビームおよび全方向性ビームを使用して、セルのアクティブセット内のセル群から、およびセルの候補セット内のセル群から、信号を受信する。ブロック５０６において、選択された指向性ビームと全方向性ビームの両方に関する受信信号が測定される。ブロック５０８において、セルのアクティブセット内、およびセルの候補セット内における各セルからの最高値を有する測定信号が、選択される。つまり、各セルに関して、最高の測定信号（全方向性ビーム測定、または選択された指向性ビーム測定）が、選択される。
【００２９】
ブロック５１０において、選択された測定信号が比較される。セルの候補セット内のセルに関する選択された測定信号群が、セルのアクティブセット内のセルに関する選択された測定信号群と比較された際、報告閾値基準を超えるとき、ブロック５１２において、測定レポートが、ネットワークに送信される。この方法は、ブロック５１４で終了する。この処理は、実行されるべき次の測定セットに関して、ブロック５００から繰り返される。
【００３０】
第３の実施形態は、図６のフロー図に示されている。開始（ブロック６００）から、ブロック６０２において、選択されたアンテナビームは、セルのアクティブセット内の１つまたは複数のセルとデータを交換するために使用され、ブロック６０４において、複数の指向性ビームおよび全方向性ビームを使用して、セルのアクティブセット内のセル群から、およびセルの候補セット内のセル群から、信号が受信される。
【００３１】
ブロック６０６において、各指向性ビームおよび全方向性ビームに関して、受信信号が測定される。ブロック６０８において、最高値を有する測定信号は、セルのアクティブセット内およびセルの候補セット内の各セルから、選択される。つまり、各セルに関して、最高の測定信号（全方向性ビーム測定または最高の指向性ビーム測定）が、選択される。ブロック６０１０において、選択された測定信号が比較される。セルの候補セット中のセルに関する選択された測定信号群が、セルのアクティブセット内のセルに関する選択された測定信号群と比較された際、報告閾値基準を超えるとき、ブロック６１２において、測定レポートは、ネットワークに送信される。この方法はブロック６１４で終了する。この処理は、実行されるべき次の測定セットに関して、ブロック６００から繰り返される。
【００３２】
第４の実施形態は、図７のフロー図に示されている。開始（ブロック７００）から、ブロック７０２において、選択されたアンテナビームが、セルのアクティブセット内の１つまたは複数のセルとデータを交換するために使用され、ブロック７０４において、セルのアクティブセット内の各セル、およびセルの候補セット内の各セルに関して、アンテナビームのサブセットが、選択される。各セルに関するアンテナビームのサブセットは、すべてのセルに関して同一であることができ、またはセルの位置などのパラメータもしくは基準、および／または過去の測定値などの他の情報に依存して、各セルに関して異なることもできる。
【００３３】
ブロック７０６において、アンテナビームのそれぞれのサブセットを使用して、セルのアクティブセット内のセル群から、およびセルの候補セット内のセル群からの信号が受信される。ブロック７０８において、アンテナビームのそれぞれのサブセットに関する受信信号が測定される。ブロック７１０において、セルのアクティブセット内、およびセルの候補セット内の各セルから、最高値を有する測定信号が選択される。つまり、各セルに関して、最高の測定信号が、選択される。
【００３４】
ブロック７１２において、それらの選択された測定信号が比較される。セルの候補セット中のセルに関する選択された測定信号群が、セルのアクティブセット内のセルに関する選択された測定信号群と比較された際、報告閾値基準を超えるとき、ブロック７１４において、測定レポートは、ネットワークに送信される。この方法は、ブロック７１６で終了する。この処理は、実行されるべき次の測定セットに関して、ブロック７００から繰り返される。
【００３５】
第５の実施形態は、図８のフロー図に示される。開始（ブロック８００）から、選択されたアンテナビームは、ブロック８０２において、セルのアクティブセット内の１つまたは複数のセルとデータを交換するために使用される。ブロック８０４において、選択されたアンテナビームを使用して、セルのアクティブセット内のセル群から、およびセルの候補セット内のセル群から、信号が受信される。
【００３６】
ブロック８０６において、選択されたアンテナビームに関して、受信信号が測定される。ブロック８０８において、セルの候補セットからのセルのサブセットが、測定された信号に基づいて選択される。セルのサブセットを選択する際、ＷＴＲＵ２２０は、例えば、それらのセルの測定結果、セルが所定の閾値を超える測定結果を有すること、またはセルが所定の閾値だけアクティブセットセル測定値を超える測定結果を有することに基づき、その選択を行うことが可能である。随意的に、セルのサブセットは、測定されたセルのすべてを含んでもよい。
【００３７】
ブロック８１０において、複数の指向性ビームおよび全方向性ビームを使用して、セルのアクティブセット内の各セルから、およびセルのサブセット内の各セルからの信号が、受信され、少なくとも選択されたアンテナビームを使用して、セルの候補セット内のセル群であるが、セルのサブセット内には入っていないセル群からの信号が、受信される（随意的に、より多くのビームが、これらのセルに使用されうる）。ブロック８１２において、受信信号が測定される。
【００３８】
ブロック８１４において、セルのアクティブセット内の各セルから、セルのサブセット内の各セルから、およびセルの候補セット内であるが、セルのサブセット内ではないセル群から、最高値を有する測定信号が、選択される。つまり、各セルに関して、最高の測定信号が選択される。
【００３９】
ブロック８１６において、選択された測定信号が比較される。セルの候補セット内のセルに関する選択された測定信号群が、セルのアクティブセット内のセルに関する選択された測定信号群と比較される際、報告閾値基準を超えるとき、ブロック８１８において、測定レポートが、ネットワークに送信される。この方法は、ブロック８２０で終了する。この処理は、実行されるべき次の測定セットに関して、ブロック８００から繰り返される。
【００４０】
第６の実施形態は、図９のフロー図に示される。開始（ブロック９００）から、ブロック９０２において、選択されたアンテナビームが、セルのアクティブセット内の１つまたは複数のセルとデータを交換するために使用される。ブロック９０４において、選択されたアンテナビームを使用して、セルのアクティブセット内のセル群から、およびセルの候補セット内のセル群からの信号を受信する。ブロック９０６において、受信信号が測定される。
【００４１】
ブロック９０８において、セルのサブセットは、測定信号に基づいてセルの候補セットから選択される。セルのサブセットを選択する際、ＷＴＲＵ２２０は、例えば、それら測定結果、セルが所定の閾値を超える測定結果を有すること、またはセルが所定の閾値だけアクティブセットセル測定値を超える測定結果を有することに基づき、その選択を行ってもよい。随意的に、セルのサブセットは、測定されたセルのすべてを含んでよい。
【００４２】
ブロック９１０において、セルのアクティブセット内の各セル、およびセルの候補セルのサブセット内の各セルに関して、アンテナビームのサブセットが選択される。前述したとおり、各セルに関するアンテナビームのサブセットは、すべてのセルに関して同一としてもよく、またはセルの位置などのパラメータもしくは基準、および／または過去の測定値などの他の情報に依存して、各セルに関して異なってもよい。
【００４３】
ブロック９１２において、アンテナビームのそれぞれのサブセットを使用して、セルのアクティブセット内のセル群から、およびセルの候補セット内のセルのサブセットから、信号が受信され、少なくとも選択されたアンテナビームを使用して、セルの候補セット内であるが、セルのサブセット内ではないセル群からの信号が、受信される（随意的に、より多くのビームが、これらのセルのために使用されうる）。ブロック９１４において、アンテナビームのそれぞれのサブセットに関して、受信信号が測定される。ブロック９１６において、セルのアクティブセット内の各セル、セルのサブセット内の各セル、およびセルの候補セット内であるが、セルのサブセット内には入っていないセル群からの、最高値を有する測定信号が、選択される。つまり、各セルに関して、最高の測定信号が、選択される。
【００４４】
ブロック９１８で、それらの選択された測定信号が、比較される。セルの候補セットに中のセルに関する選択された測定信号群が、セルのアクティブセット内のセルに関する選択された測定信号群と比較された際、報告閾値基準を超えたとき、ブロック９２０で、測定レポートが、ネットワークに送信される。この方法は、ブロック９２２で終了する。この処理は、実行されるべき次の測定セットに関して、ブロック９００から繰り返される。
【００４５】
上記の第１ないし第６の実施形態において、セルのアクティブセット内のあるセルから選択されたアンテナビームにおける測定信号が、報告閾値基準を下回った場合、ＷＴＲＵ２２０は、ネットワークに通知することが好ましい。全方向性ビーム測定値を使用するなどの、他の方法が使用されうる。
【００４６】
第１ないし第６の実施形態において、閾値報告基準は、通常ネットワークによって提供され、事前（ｐｒｉｏｒｉ）に、または命令によって、ＷＲＴに知られている任意のそのような基準である。報告閾値基準は、例えば、セルの個々の測定値、セルの測定値の組み合わせ、例えば、個々の測定値の平均を考慮に入れることを伴うことがあり、任意のタイプの測定値または測定値群、例えば、ＳＩＲ（信号対干渉比：Ｓｉｇｎａｌ  ｔｏ  Ｉｎｔｅｒｆｅｒｅｎｃｅ  Ｒａｔｉｏ）もしくは平均ＳＩＲ、信号対雑音比、および信号強度を伴うことがある。さらに、閾値報告基準は、考慮すべき複数のパラメータ、例えば、固定閾値、他の測定値に基づく閾値、および測定の回数、または測定のパーセンテージ（５回中３回など）を含んでもよく、その間、測定レポートを作成する前にある条件が成立していなければならない。
【００４７】
背景技術のセクションで説明したとおり、ＣＤＭＡ２０００などの一部のシステムにおいて、ネットワーク指定の閾値の強度を超えたが、アクティブセット内に入るだけ十分に強力ではない近隣セル群は、候補セットと呼ばれる。測定報告は、セルが候補セットに追加される場合、およびセルがアクティブセットに考慮されるに十分に強力である場合に、ネットワークに送信される。
【００４８】
ＷＴＲＵは、利点として、セルのアクティブセットにセルを追加するために、最も強い測定値で、全方向性ビームおよび／または指向性ビームにおけるセル群から受信された信号の測定を評価し、ネットワークに報告する。第１ないし第６の実施形態において、信号を測定することに基づいてセルのアクティブセットにセルを追加することにより、ソフトハンドオフが改良され、マルチセル無線通信システムにおいてスイッチビームアンテナで動作するモバイルＷＴＲＵの接続性が、より良く維持されるようになる。
【００４９】
本発明の別の態様は、セルのアクティブセット２６０、セルの候補セット２８０、および第１ないし第６の実施形態を実施するための前述したＷＴＲＵ２２０を含む無線通信システム２００を対象とする。詳細には、ＷＴＲＵ２２０は、測定信号を比較するための、およびセルの候補セット内のあるセルに関する選択された測定信号が、セルのアクティブセット内のあるセルに関する選択された測定信号と比較された際、報告閾値基準を超えるとき、測定レポートをネットワークに送信するためのコントローラ３８０を含む。
【００５０】
第１ないし第６の実施形態は、候補セット内のセル群に関して測定を実行する。しかし、一部のケースにおいて、近隣セルからの信号が、候補セットに追加される閾値を超えないほど選択されたビームにおいて、あまりにも大幅に減衰していることがある。これは、さらに、ソフトハンドオーバーに遅れて入る原因となり、ソフトハンドオーバーに入る前に、新たなセルの中に深く入り込む原因となるであろう。
【００５１】
次に、図１０のフロー図を参照すると、本発明のさらに別の態様は、選択されたビーム測定だけが実行された場合に、近隣セルが通常候補セットに識別されるよりも前に、候補セットとして識別できるように候補セット内のセル群以外の近隣セルにおいて測定を実行するための方法を対象とする。セルの候補セット、またはセルのアクティブセット内に入っていない近隣セル群は、セルの「予備候補」セット内に入っている。以下の閾値が、使用される。
【００５２】
Ｔｔｈｒｅｓｈ＝予備候補セットに関する、ＷＴＲＵ定義の閾値（予備候補セット追加閾値としても知られる）であるとする。
【００５３】
Ｔａｄｄ＝候補セットにセルを追加し、測定をネットワークに報告することに関する、ネットワーク定義の閾値（候補セット追加閾値としても知られる）であるとする。
【００５４】
Ｔｄｒｏｐ＿ｃ＝候補セットからセルを除去し、測定をネットワークに報告することに関する、ネットワーク定義の閾値（候補セットドロップ閾値としても知られる）であるとする。
【００５５】
Ｔｄｒｏｐ＿ａ＝セルのアクティブセット内のあるセルの測定をネットワークに報告することに関し、ＷＴＲＵにそのセルをセルのアクティブセットから除去するよう、ネットワークが指示するという見込まれる結果を伴う、ネットワーク定義の閾値（アクティブセットドロップ閾値としても知られる）であるとする。
【００５６】
Ｔ＿ＣＯＭＰ＝候補セルが、セルのアクティブセット内のセルを越えることになる差分を指定してネットワークへの測定レポートをトリガするネットワーク定義の値であって、これにより、ネットワークがＷＴＲＵにセルのアクティブセットにこの候補セルを追加するよう指示する結果となることが見込まれ得る値とする。
【００５７】
Ｔ＿ＣＯＭＰＡ＝ＷＴＲＵ定義の閾値≧Ｔ＿ＣＯＭＰであるとする。
【００５８】
予備候補セット、候補セット、およびセルのアクティブセットに、セルを追加するための手続きが、図１０に示される。開始（ブロック１０００）から、ブロック１００２において、選択されたアンテナビームは、セルのアクティブセット内の１つまたは複数のセルとデータを交換するために使用される。ブロック１００４において、選択されたアンテナビームを使用して、セルのアクティブセット内に入っていない複数のセルから、信号が受信される。ブロック１００６において、セルのアクティブセット内に入っていないセル群からの受信信号が測定される。
【００５９】
ブロック１００８において、この測定された信号は、Ｔｔｈｒｅｓｈ閾値と比較される。アクティブセット内に入っていないあるセルの信号強度（選択されたアンテナビームにおいて測定された）が、Ｔｔｈｒｅｓｈを超えた場合、そのセルは、ＷＴＲＵ２２０によって保持される予備候補セット内に入れられる。Ｔｔｈｒｅｓｈは、Ｔａｄｄ以下である。ブロック１０１０において、セルの予備候補セット内のセル群は、次にそれらの測定された信号のレベルに基づいてランク付けされる。
【００６０】
ブロック１０１２において、全方向性ビーム、および選択されたアンテナビームを使用して、セルの予備候補セット内の上位にランク付けされたＮ個のセルから、信号が受信される。Ｎは、１以上である。ブロック１０１４において、全方向性ビーム、および選択されたアンテナビームに関するＮ個のセルのそれぞれから、受信信号が測定される。
【００６１】
ブロック１０１６において、測定信号は、Ｔａｄｄ閾値と比較され、Ｔａｄｄ閾値との比較（すなわち、Ｔａｄｄ閾値を超える場合）に基づき、セルの予備候補セットからの対応するセル群は、予備候補セットからセルの候補セットへ移動される。ブロック１０１８において、候補セットに移動された各セルに関して、測定レポート（全方向性ビーム測定値を伴う）が、ネットワークに送信される。
【００６２】
さらに、全方向性ビーム２５０において測定された候補セットの信号強度が、全方向性ビームにおいて測定されたセルのアクティブセット内のいずれかの１つまたは複数のセルの信号強度より、Ｔ＿ＣＯＭＰだけ大きい場合、測定レポート（候補セルの全方向測定（ｏｍｎｉ−ｍｅａｓｕｒｅｍｅｎｔ）を伴う）は、ネットワークに送信される。ネットワークは、通常、この候補セルをセルのアクティブセットに移動させるよう、ＷＴＲＵ２２０に指示する。このように、セルの予備候補セットの使用により、ＷＴＲＵ２２０は全方向のみの（ｏｍｉｎｉ−ｏｎｌｙ）ＷＴＲＵが行うであろう時点により近くで、セルをセルのアクティブセットに追加することが可能になる。方法は、ブロック１０２０で終了する。方法は、次の測定セットに関して、ブロック１０００で繰り返す。
【００６３】
セルの候補および予備候補セットからセルを除去する（ドロップする）ための手続きは、以下のとおりである。ある予備候補セルの選択されたビーム信号強度が、Ｔｔｈｒｅｓｈを下回って低下するとき、その予備候補セルは、予備候補セットから除去される（そのセルが、選択されたビームのみにおいて測定されているか、または選択されたアンテナビームおよび全方向性ビームにおいて測定されているかに関わらず）。
【００６４】
ある候補セルの全方向性ビーム信号強度が、Ｔｄｒｏｐ＿ｃを下回って低下するとき、そのセルは、セルの候補セットからドロップされ、測定レポートが、ネットワークに送信される（その全方向性ビーム測定値とともに）。このセルは、その選択されたビーム信号強度が、Ｔｔｈｒｅｓｈを超えるとき、セルの予備候補セット内に入れられる。
【００６５】
セルのアクティブセットからセルをドロップするための手続きは、以下のとおりである。ａ）セルのアクティブセット内の、あるセルの選択されたアンテナビーム信号強度が、Ｔｄｒｏｐ＿ａを下回って低下し、かつ、そのセルの全方向性ビーム信号強度が、Ｔａｄｄを下回る場合、および／またはｂ）セルのアクティブセット内の、あるセルの選択されたビーム信号強度が、Ｔｄｒｏｐ＿ａを下回って低下し、かつ、そのセルに関する全方向性ビーム信号強度が、アクティブセット内の最良のセルの全方向性ビーム信号強度（ＳＩＲ＿Ｂｅｓｔ）よりも、Ｔ＿ＣＯＭＰＡだけ低い場合、および／またはｃ）セルのアクティブセット内の、あるセルの選択されたアンテナビーム信号強度が、Ｔｔｈｒｅｓｈを下回って低下し、かつ、Ｔｔｈｒｅｓｈ≦Ｔｄｒｏｐ＿ａである場合、以下が真となる。
【００６６】
測定レポート（選択されたアンテナビーム測定値を伴う）は、ネットワークに送信される。ネットワークは、ＷＴＲＵ２２０がセルのアクティブセットからそのセルを除去するよう、指示するものと見込まれる。ひとたび除去されると、そのセルは、選択されたアンテナビーム信号強度がＴｔｈｒｅｓｈを超える場合のみ、セルの予備候補セット内に入れられる。
【００６７】
全方向性ビーム測定値は、セルの異なるセットにセルを追加するのに使用され、選択されたアンテナビーム測定値は、セルの異なるセットからセルをドロップするのに使用される。ピンポン作用を回避するため、ドロップ考慮事項ａ）、ｂ）、ｃ）のそれぞれは、セルが、セルの候補またはアクティブセットに即時に戻って追加されないであろうことを保障する。
【００６８】
ａ）に関して、全方向性ビーム測定値は、Ｔａｄｄを下回っていなければならず、これにより、セルが、候補セットに戻って追加されることが防止される。ｂ）に関して、全方向性ビーム測定値は、アクティブセット内の最良のセルをはるかに下回っていなければならず、セルのアクティブセット内により劣ったセルが存在しない限り、このセルは、セルのアクティブセットに戻って追加されないだろう。ｃ）に関して、Ｔｔｈｒｅｓｈを下回る信号強度を有するセルは、セルの予備候補セットにさえ戻って追加されないだろう。
【００６９】
セルのアクティブセットからセルをドロップするための以上の手続きは、１つのセルが常にアクティブセット内に残ることを想定している。セルをドロップすることに関する一例は、以下のとおりである。すなわち、Ｔａｄｄ＝−１４ｄＢ、Ｔｄｒｏｐ＿ａ＝−１６ｄＢ、Ｔｔｈｒｅｓｈ＝−２２ｄＢ、およびＴ＿ＣＯＭＰＡ＝３ｄＢである。
【００７０】
ＷＴＲＵ２２０は、以下の場合にセルのアクティブセットからのセルドロップという結果をかなり確実にもたらす、選択されたアンテナビーム測定値を、報告する。それは、アクティブセットセル信号強度が、選択されたアンテナビームにおいて−１６ｄＢを下回り、かつ、全方向性ビームにおいて−１４ｄＢを下回っている場合、アクティブセットセル信号強度が、選択されたアンテナビームにおいて−１６ｄＢを下回り、かつ、全方向性ビームにおいて、最良のアクティブセットセルより３ｄＢを超えて下回る場合、およびアクティブセットセル信号強度が、全方向性ビーム測定値に関わらず、選択されたアンテナビームにおいて−２２ｄＢを下回る場合である。
【００７１】
前述した手続きのすべてにおいて、閾値との比較に基づいて行われるアクションは、測定値に基づくこと、あるいは条件（例えば、閾値を超えること、または下回って低下すること）が、指定された測定回数で、または指定された測定回数内の測定のある割合で、当てはまらなければならない、待ち時間の後であってよい。
【００７２】
以上の説明、および関連する図面において提示される教示の利益を有する当業者は、本発明の多数の変更、およびその他の実施形態を想定するだろう。したがって、本発明は、開示された特定の諸実施形態に限定されず、変更形態および実施形態が、添付の特許請求の範囲に含まれることが意図されていることを理解されたい。
【図面の簡単な説明】
【００７３】
【図１】先行技術による無線通信システム、およびそのシステム内で動作するＷＴＲＵ（無線送信／受信ユニット）を示す概略図である。
【図２】本発明による無線通信システム、およびそのシステム内で動作するＷＴＲＵ（無線送信／受信ユニット）を示す概略図である。
【図３】図２に示されたＷＴＲＵを示すブロック図である。
【図４】図２に示された無線通信システムにおいてＷＴＲＵのハンドオフに関する測定を実行するための実施形態を示すフロー図である。
【図５】図２に示された無線通信システムにおいてＷＴＲＵのハンドオフに関する測定を実行するための実施形態を示すフロー図である。
【図６】図２に示された無線通信システムにおいてＷＴＲＵのハンドオフに関する測定を実行するための実施形態を示すフロー図である。
【図７】図２に示された無線通信システムにおいてＷＴＲＵのハンドオフに関する測定を実行するための実施形態を示すフロー図である。
【図８】図２に示された無線通信システムにおいてＷＴＲＵのハンドオフに関する測定を実行するための実施形態を示すフロー図である。
【図９】図２に示された無線通信システムにおいてＷＴＲＵのハンドオフに関する測定を実行するための実施形態を示すフロー図である。
【図１０】図２に示された無線通信システムに関して、セルの予備候補セットに基地局を追加することに関するフロー図である。
【図１】
2007521782.tif 000003
【図２】
2007521782.tif 000004
【図３】
2007521782.tif 000005
【図４】
2007521782.tif 000006
【図５】
2007521782.tif 000007
【図６】
2007521782.tif 000008
【図７】
2007521782.tif 000009
【図８】
2007521782.tif 000010
【図９】
2007521782.tif 000011
【図１０】
2007521782.tif 000012
【国際調査報告】
2007521782.tif 000013